(57)【特許請求の範囲】
【請求項１】
映写機用の光源ユニットとデジタルビデオプロジェクタ用の光源ユニットを選択的に取付け可能に構成された光源装置；
外部光源を使用する映写機本体および外部光源を使用するデジタルビデオプロジェクタ本体を並列して載置すると共に、上記光源装置に対して相対的に移動させるための移動手段を備えた移動テーブル；
該移動テーブルを上記光源装置の光軸に対して直角の方向に案内するガイド機構；
および上記光源装置の光軸に対して上記映写機の光軸が一致する位置にまたは上記光源装置の光軸に対して上記ビデオプロジェクタの光軸が一致する位置にそれぞれ上記移動テーブルを選択的に位置決めし固定するための位置決め固定手段とを含むことを特徴とする映写装置。
【発明の詳細な説明】
【０００１】
【産業上の利用分野】
本発明は、映写機とデジタルビデオプロジェクタとを任意に切替えて使用し得る映写装置に関し、特に映画館等の大型の映像観賞設備において使用する映写機とデジタルビデオプロジェクタとを同一の光源装置に対して切替え使用し得る映写装置に関する。
【０００２】
【従来の技術】
最近、衛星放送によって送られてくるビデオ信号をキャッチして映像信号を再生してスクリーン上に投影するデジタルビデオプロジェクターが急激に普及しはじめてきた。したがって、常設の映画館では、従来からある映画フイルムを使用する映写機による上映とデジタルビデオプロジェクタによる上映の両方を随時切り替えて上映しなければならないという趨勢になってきた。
現在は、映画館等で使用されている映写装置は、映画フイルムを使用する映写機とビデオ信号を再生して放映するデジタルビデオプロジェクタとはそれぞれ独立した機器として構成されている。
【０００３】
【発明が解決しようとする課題】
ところが、大型の映写装置では電源装置を含む光源装置が大容量かつ大重量であるので、映画館の狭い映写室では、フイルム用の映写機とビデオ信号を再生するデジタルビデオプロジェクタとを両方設置するスペースがなく、両者を交互に搬入して使用するといった不便さが強いられている。また、そのために、いずれかの映写装置を設置する度に位置あわせや調整をしなければならないという煩雑さがあった。
本発明は、既存の光源装置に対して、映写機とデジタルビデオプロジェクタとを選択的に切り替え使用できるばかりでなく、その切り替えが容易であるとともに、スペースが少なく、煩雑な調整等を必要としない映写装置を提供することを目的とする。
【０００４】
【課題を解決するための手段】
本発明は、共通した光源装置に対して、映写機とデジタルビデオプロジェクタとを切替え使用し得るようにして、省スペース、省力化の目的を達成した。
【０００５】
すなわち、本発明の映写装置は、映写機用の光源ユニットとデジタルビデオプロジェクタ用の光源ユニットを選択的に取付け可能に構成された光源装置；外部光源を使用する映写機本体および外部光源を使用するデジタルビデオプロジェクタ本体を並列して載置すると共に、上記光源装置に対して相対的に移動させるための移動手段を備えた移動テーブル；該移動テーブルを上記光源装置の光軸に対して直角の方向に案内するガイド機構；および上記光源装置の光軸に対して上記映写機の光軸が一致する位置にまたは上記光源装置の光軸に対して上記ビデオプロジェクタの光軸が一致する位置にそれぞれ上記移動テーブルを選択的に位置決めし固定するための位置決め固定手段とを含むことを特徴とするものである。
【０００６】
映写機とは例えば３５ｍｍの映写機であって、主に映画館等で使用されている大型の映写機をいう。
また、外部光源を使用するデジタルビデオプロジェクタとは、例えば、テキサス・インスツルメンツ社の開発したデジタル・ライト・プロセッシング方式（ＤＬＰ方式）を使用して、衛星放送によって送られてくるビデオ信号をマイクロミラーを使用して映像信号に再生してスクリーン上に投影するビデオプロジェクタのことである。
【０００７】
光源装置は、高圧のクセノンランプを使用するもので、電源装置とランプや反射ミラー等を含む光源ユニットを内蔵している。光源ユニットとしては、３５ｍｍ映写機用には通常のシングルミラー光源ユニットが使用され、ビデオプロジェクタ用には通常ダブルミラ−光源ユニットが使用されているが、今後共通の光源ユニットが使用される可能性もある。
【０００８】
移動テーブルは、大型の映写装置用の場合は、トレー式で４本の脚にそれぞれ車輪が付いていて、レール上を走行するようになっている。この４本の脚にはそれぞれ長さ調節用ネジが付いていて、映写機またはビデオプロジェクタの俯角を調整できるようになっている。小型の映写装置用の場合は、スライド式のテーブルで光源装置に取付けられた棚板上に載置される。移動テーブルの上には映写機およびビデオプロジェクタが並列して、すなわち、光源装置の光軸に対して、平行でしかも、光源装置から照射される光線を受け入れる両者の接眼レンズの位置が光軸に対して垂直の平面内にくるように載置され、固定されている。
【０００９】
ガイド機構としては、光源装置の光軸に対して直角に設置された直線状のレールとその上を走行する車輪の組合せ、光源装置の光軸に対して直角に設置された直線状のスライド用の誘導突条と誘導溝との組合せ等を用いることができる。
【００１０】
【実施例】
（実施例１）  図１、図２は、本発明の映写装置の全体図を示すもので、図１はその側面図、図２はその正面図である。
図において、１は光源装置、２は３５ｍｍ映写機、３はデジタルビデオプロジェクタ（例えば、テキサス・インスツルメンツ社製ＤＬＰシネマ（登録商標）、その他各社で製造している）、４Ａは移動テーブル、５はガイド機構としてのレールを示している。
【００１１】
光源装置１は光源ユニットを内蔵するランプ筺体１１および電源装置を内蔵する電源筺体１２より構成されている。ランプ筺体１１は図５に示すようにその内部に光源ユニットを取付けるための４本の固定ネジ１３が突設されている。なお、１２は排気孔、１４は固定ネジ１３に螺合されるナットである。
【００１２】
光源ユニットは映写機用の光源ユニット１５Ａ（図６）およびデジタルビデオプロジェクタ用の光源ユニット１５Ｂ（図７）の２種類が用意されていて、それぞれの目的に応じて交換使用される。映写機用に用いられる光源ユニット１５Ａには光源の反射ミラーとしてシングルタイプのミラー１６Ａが用いられる。デジタルビデオプロジェクタ用の光源ユニット１５Ｂには光源の反射ミラーとしてダブルタイプのミラー１６Ｂが用いられる。なお、１７は基台、１８はランプ筺体１１に設けられた固定ネジ１３に嵌挿するための貫通孔、１９は光源ユニットを持ち運ぶための把手である。
【００１３】
映写機２は、レンズ系２１、フィルム駆動機構２２、サウンドヘッド２３、リール基部２４等を装備している。また、その下には移動テーブルに取付けるための取付板４５が４個取付けられている。デジタルビデオプロジェクタ３はレンズ系３１、画像再生装置等を内蔵する本体３２等を備えている。また、その下には移動テーブルに取付けるための取付板４６が４個取付けられている。移動テーブル４Ａは、テーブル基板４１、車輪４３を取付けた４本の脚４２等を備えている。脚４２にはそれぞれ長さ調節ネジ４４が設けられ、脚４２の長さを伸縮して映写機またはビデオプロジェクタの俯角を調整できるようになっている。
【００１４】
図４に示されるように、移動テーブル４Ａには、映写機２の取付板４５にボルトで取付けるための取付孔６１が、また、デジタルビデオプロジェクタ３の取付板４６にボルトで取付けるための取付孔６２が設けられている。また光源装置１に面する側面には側板６３が設けられ、そこには移動テーブル４Ａの位置決めと移動テーブルを固定するための６本の固定ネジ６５Ａ，６５Ｂ，６５Ｃ，６５Ｄ，６５Ｅ，６５Ｆと横方向の１本の誘導孔６４が設けられている。
【００１５】
この側板６３に対向する光源装置１の側壁には上記６本の固定ネジの内４本の固定ネジを受け入れるネジ孔６７Ａ，６７Ｂ，６７Ｃ，６７Ｄと上記誘導孔６４に緩挿される数本の誘導突起６６Ａ，６６Ｂ，６６Ｃが設けられている。なお、２６は光源ユニットから照射される光線のためのフードである。
【００１６】
レール５は光源装置１から照射される光線の光軸に対して直角方向に施設されているので、移動テーブル４Ａ上に載置された映写機２またはデジタルビデオプロジェクタ３を選択的に光源装置１から照射される光線の光軸に一致させる位置に導くことができる。
【００１７】
（操作方法）
本発明の映写装置において、３５ｍｍ映写機２を使用する場合は、光源装置１の光源ユニットを映写機用のユニット１５Ａ（図６）に取り替える。そして、図３（ランプ筺体１１を取り外した状態を示す）に示されるように、移動テーブル４Ａを図面右方向に移動させる。移動テーブル４Ａはその車輪４３がレール５上で回動し、光源装置１から照射される光線の光軸に対して、直角方向に移動する。
【００１８】
図４に示されるように、光源装置１の側壁に突設された最左端の誘導突起６６Ａに誘導孔６４の最左端が接触することによって映写機２の位置が位置決めされる。そこで、固定ネジ６５Ａをネジ孔６７Ａに、固定ネジ６５Ｂをネジ孔６７Ｂに、固定ネジ６５Ｃをネジ孔６７Ｃに、固定ネジ６５Ｄをネジ孔６７Ｄにそれぞれ嵌挿して緊定すれば、映写機２の光軸と光源装置１の光軸が一致した位置に移動テーブル４Ａを固定することができる。
【００１９】
次に、デジタルビデオプロジェクタ３を使用する場合は、光源装置１の光源ユニットを映写機用のユニット１５Ｂ（図７）に取り替える。そして、移動テーブル４Ａを図３、図４において左方向に移動させる。最右端の誘導突起６６Ｃに誘導孔６４の最右端が接触することによってデジタルビデオプロジェクタ３が位置決めされる。そこで、固定ネジ６５Ｃをネジ孔６７Ａに、固定ネジ６５Ｄをネジ孔６７Ｂに、固定ネジ６５Ｅをネジ孔６７Ｃに、固定ネジ６５Ｆをネジ孔６７Ｄそれぞれ嵌挿して緊定すれば、デジタルビデオプロジェクタ３の光軸と光源装置１の光軸が一致した位置に移動テーブル４Ａを固定することができる。
【００２０】
（実施例２）
図８は、小型用の映写装置についての実施例である。７は光源装置１の側壁に突設された棚板で、その上に移動テーブル４Ｂが載置されている。
棚板７には光源装置１の光軸に直角な方向に断面三角状をした誘導突起７１が２条設けられている。一方、移動テーブル４Ｂには誘導突起７１に合致する位置に誘導溝７２が２条設けられている。したがって移動テーブル４Ｂは光源装置１の光軸に直角な方向にスライドして移動させることができる。
【００２１】
また、図９に示すように、移動テーブル４Ｂの４隅には移動テーブル４Ｂを棚板７に固定するための締付用ノブ７３がそれぞれ設けられている。この締付用ノブ７３の先端は移動テーブル４Ｂを貫通して設けた透孔７４および棚板７を貫通して設けた透孔７５を通って棚板７の裏面に達するので、ナット７９によって移動テーブル４Ｂを棚板７に緊定することができる。
【００２２】
この締付用ノブ７３を映写機をセットする位置およびデジタルビデオプロジェクタをセットする位置にそれぞれ設けておけば、移動テーブルを左右に移動させることによって、光源装置の光軸に一致した位置に、映写機またはデジタルビデオプロジェクタを選択的に移動させてそれを固定することができる。
【００２３】
７６は調整ネジであって、このネジ７６をネジ孔７８に螺入させ、その先端を棚板７に押圧させることにより、移動テーブル４Ｂと棚板７との間に隙間を設け、その隙間を上下に調節することによって、移動テーブル４Ｂ上に載置した映写機またはデジタルビデオプロジェクタの仰角を調整することができる。
【００２４】
【発明の効果】
本発明の映写装置は、移動テーブルの上に映写機とデジタルビデオプロジェクタとを並列して載置し、光源装置の光軸と映写機の光軸またはデジタルビデオプロジェクタの光軸とが一致する位置に選択的に移動できるように構成されているので、映写機とデジタルビデオプロジェクタとを映画館のプログラムに対応して簡単な操作でしかも短時間で切り替えて使用することができる。
【００２５】
本発明の映写装置は、一つの光源装置に対して映写機とデジタルビデオプロジェクタを選択的に切り替えて使用できるように構成されているので、映写機とデジタルビデオプロジェクタとを別個に構成した場合に比べて省スペースとなり、狭い映写室においても設置することが可能になる。
【図面の簡単な説明】
【図１】本発明の実施例の映写装置の側面図。
【図２】映写装置の正面図。
【図３】映写装置を映写機用にセットした場合の斜視図。
【図４】光源装置と移動テーブルの関係を示す斜視図。
【図５】光源装置の一部を拡大した斜視図。
【図６】光源ユニットの斜視図。
【図７】他の形式の光源ユニットの斜視図。
【図８】映写装置の他の実施例を示す側面図。
【図９】移動テーブルの細部を示す一部断面側面図。
【符号の説明】
１  光源装置
２  映写機
３  デジタルビデオプロジェクタ
４Ａ，４Ｂ  移動テーブル
５  レール
７  棚板
１１  筺体
【図１】
0003782624.tif 000002
【図２】
0003782624.tif 000003
【図３】
0003782624.tif 000004
【図４】
0003782624.tif 000005
【図５】
0003782624.tif 000006
【図６】
0003782624.tif 000007
【図７】
0003782624.tif 000008
【図８】
0003782624.tif 000009
【図９】
0003782624.tif 000010